(57)【特許請求の範囲】
【請求項１】
基材上に施された機密情報データがスクラッチオフ性と隠蔽性を有するスクラッチ隠蔽層で覆われるようにして隠蔽されているスクラッチ印刷物であって、前記基材上のスクラッチ隠蔽層以外の位置に前記機密情報データの内容と連動し、かつ特定のルールのない乱数的記号からなる管理記号が、蛍光染料とポリメタクリル酸エステル、尿素、ホルマリン樹脂、メラミン・ホルマリン樹脂、塩化ビニル、塩ビ−酢ビ共重合体、アルキッド樹脂およびそれら変性したもののいずれかの合成樹脂固溶体を蛍光顔料とした蛍光インキ、またはＺｎ2 ＳｉＯ4 ／Ｍｎ、ＣａＷＯ4 、ＺｎＳ／Ｍｎのいずれかを蛍光顔料とした蛍光インキで有色の迷彩パターン上に印字されていることを特徴とするスクラッチ印刷物。
【請求項２】
請求項１記載の前記機密情報データの内容と連動している管理記号を読み取り機で読み取り、管理番号で関連付けされコンピュータ内に保管された前記機密情報データの内容を認識し管理することを特徴とするスクラッチ印刷物の管理方法。
【発明の詳細な説明】
【０００１】
【発明の属する技術分野】
本発明は
本発明は、抽選券やゲームカード等の機密情報データをスクラッチ隠蔽層で隠蔽してあるスクラッチ印刷物に関するものであり、さらに詳しくは、スクラッチ隠蔽層をコイン等でスクラッチオフして機密情報データを認識することのできるスクラッチ印刷物とその機密情報データを管理する管理方法に関する。
【０００２】
【従来の技術】
従来、例えば、インスタント抽選券やゲーム用のカードなどにおいて、「当たり」、「外れ」等の文字、記号あるいは図形、絵柄などの機密情報データを隠蔽するために、隠蔽性とスクラッチオフ性（引っ掻き落とし易さ）とを有するインキなどにより機密情報を隠蔽したスクラッチ印刷物が知られ、種々の分野で利用されている。
【０００３】
上記のスクラッチ隠蔽層が施されたスクラッチ印刷物として、例えば図３（ａ）の模式的積層断面図に示すように、用紙などでなる基材（１０）の上に絵柄、文字、数字、記号などの機密情報データ（１２）が印刷されていて、その機密情報データ（１２）を覆うように透明な剥離ニスなどによる易剥離層（１４）が形成され、その易剥離層（１４）の上にスクラッチ隠蔽層（２０）が施されているものであり、例えばこのスクラッチ印刷物（１）を購入した顧客が、図３（ｂ）の平面図およびそのＢ−Ｂ面断面図である図３（ｃ）の右半分に示すように、コイン等でスクラッチ隠蔽層（２０）をスクラッチオフ（引っ掻き落とすこと）すると、「当たり」、「外れ」などの機密情報データ（１２）が露出され目視で認識されるようになっているものである。
【０００４】
【発明が解決しようとする課題】
しかしながら、上記スクラッチ印刷物（１）に施された機密情報データ（１２）は、顧客等は勿論のことその発行管理者といえども、その機密情報データ（１２）が隠蔽されてからは、例えば「当たり」、「外れ」等その機密情報データ（１２）の内容を確認することができず（確認できない場合の方がよい場合もあるが）、そのスクラッチ印刷物（１）の販売場所によっては、全く当たり券がなかったり、逆に多くの当たり券があったりして、場所によって極端な偏りがあったりすると、そのスクラッチ印刷物（１）に対する不信感などからその販売に影響するという問題点があった。
【０００５】
本発明は、かかる従来技術の問題点を解決するものであり、その課題とするところは、機密情報データがスクラッチ隠蔽層で隠蔽されているスクラッチ印刷物において、その発行管理者のみがスクラッチ隠蔽層をスクラッチオフせずともその機密情報データの内容を認識し管理することを可能にするスクラッチ印刷物とその管理方法を提供することにある。
【０００６】
【課題を解決するための手段】
本発明に於いて上記課題を達成するために、まず請求項１の発明では、基材上に施された機密情報データがスクラッチオフ性と隠蔽性を有するスクラッチ隠蔽層で覆われるようにして隠蔽されているスクラッチ印刷物であって、前記基材上のスクラッチ隠蔽層以外の位置に前記機密情報データの内容と連動し、かつ特定のルールのない乱数的記号からなる管理記号が、蛍光染料とポリメタクリル酸エステル、尿素、ホルマリン樹脂、メラミン・ホルマリン樹脂、塩化ビニル、塩ビ−酢ビ共重合体、アルキッド樹脂およびそれら変性したもののいずれかの合成樹脂固溶体を蛍光顔料とした蛍光インキ、またはＺｎ2 ＳｉＯ4 ／Ｍｎ、ＣａＷＯ4 、ＺｎＳ／Ｍｎのいずれかを蛍光顔料とした蛍光インキで有色の迷彩パターン上に印字されていることを特徴とするスクラッチ印刷物としたものである。
【０００９】
上記発明によれば、スクラッチ隠蔽層以外の位置に印字されている管理記号がスクラッチ隠蔽層で隠蔽されている機密情報データの内容と連動しているので、スクラッチ隠蔽層をスクラッチオフせずとも発行管理者は、そのデータの内容の認識を可能にし、その管理記号が特定のルールのない乱数的記号でなるので、管理者（実質的には管理者が所持するコンピュータ）以外の人には、機密情報データの内容が判らないスクラッチ印刷物とすることができる。
【００１１】
さらにまた、上記請求項１の発明によれば、機密情報データと連動し、かつ特定のルールのない乱数的記号からなる管理記号が、蛍光染料とポリメタクリル酸エステル、尿素、ホルマリン樹脂、メラミン・ホルマリン樹脂、塩化ビニル、塩ビ−酢ビ共重合体、アルキッド樹脂およびそれら変性したもののいずれかの合成樹脂固溶体を蛍光顔料とした蛍光インキ、またはＺｎ2 ＳｉＯ4 ／Ｍｎ、ＣａＷＯ4 、ＺｎＳ／Ｍｎのいずれかを蛍光顔料とした蛍光インキで有色の迷彩パターン上に形成されているので、一般の人には管理記号の存在すら判らず、よって機密情報データの内容の認識がより不可能になるスクラッチ印刷物とすることができる。
【００１２】
また、請求項２の発明では、請求項１記載の前記機密情報データの内容と連動している管理記号を読み取り機で読み取り、管理番号で関連付けされコンピュータ内に保管された前記機密情報データの内容を認識し管理することを特徴とするスクラッチ印刷物の管理方法としたものである。
【００１３】
上記請求項２の発明によれば、発行管理者のみが機密情報データの内容と連動している管理記号を読み取り機で読み取り、この管理番号で関連付けされコンピュータ内に保管された機密情報データの内容を認識することによって、そのデータの内容に偏りのないスクラッチ印刷物の配分などの管理を可能にするするスクラッチ印刷物の管理方法とすることができる。
【００１４】
【発明の実施の形態】
以下本発明の実施の形態を図面を用いながら説明する。
本発明は、図３（ａ）の模式的積層断面図に示すように、例えば機密情報データ（１２）が透明な易剥離層（１４）を介してスクラッチ隠蔽層（２０）で隠蔽されているスクラッチ印刷物（１）に関するものであり、消費者がコイン等でこのスクラッチ隠蔽層（２０）をスクラッチオフ（引っ掻き落とす）して機密情報データ（１２）を目視等で認識することのできるスクラッチ印刷物（１）に関するものである。
【００１５】
上記本発明のスクラッチ印刷物は、図１の正面図に示すように、例えば紙等でなる基材（１０）上に施された例えば「１等当たり」の機密情報データ（１２）を透明剥離ニスでなる易剥離層（図示せず）を介してスクラッチオフ性と隠蔽性を有するスクラッチ隠蔽層（２０）で覆うようにして隠蔽しているスクラッチ印刷物（１）において、その機密情報データ（１２）の内容（例えば「１等当たり」）とコンピュータで連動させている管理記号（３０）が、基材（１０）上の、スクラッチ隠蔽層（２０）以外の位置に印字されているスクラッチ印刷物（１）である。
【００１６】
また、本発明では、上記管理記号（３０）は、特定のルールのない乱数的記号でなり、この乱数的記号と上記機密情報データ（１２）の内容とがコンピュータで連動させているスクラッチ印刷物（１）とするものである。
【００１７】
このようなスクラッチ印刷物（１）の機密情報データ（１２）の内容の認識は、例えば、この管理記号（３０）を読取り機で読み取って、この管理記号（３０）とコンピュータで連動させている機密情報データ（１２）の内容を認識することができるようにしたものである。
【００１８】
また、本発明では、前記管理記号（３０）を、蛍光インキで形成しているスクラッチ印刷物（１）とするもので、一般の消費者等は、管理記号（３０）の存在すら判らないスクラッチ印刷物（１）とするもので、この管理記号（３０）の認識は、例えば、読取り機内のブラックライト下で読み取り、この管理記号（３０）にコンピュータ内で連動させている機密情報データ（１２）の内容を認識することができるようにしたものである。
【００１９】
上記の蛍光インキでなる管理記号（３０）を、例えば図２の正面図に示すように、有色の迷彩パターン（３２）の上に施すこともでき、この迷彩パターン（３２）によって、より管理記号（３０）の存在が判らないスクラッチ印刷物（１）とすることもできる。
【００２０】
さらにまた、本発明では、図１に示すような機密情報データ（１２）の内容と連動している管理記号（３０）によって、隠蔽されている機密情報データ（１２）の内容を、例えばコンピュータで読み取り認識し、例えば各ロットに当たり券の数等の偏りのないような配分として管理することのできるスクラッチ印刷物の管理方法とするものである。
【００２１】
上記発明によれば、機密情報データの内容と連動する管理記号によって、その機密情報データの内容を認識し、偏りのないようにあるいは意識的にある程度の偏りを持たせたりして配分するなどの管理を可能にするスクラッチ印刷物の管理方法とすることができる。
【００２２】
上記本発明のスクラッチ印刷物（１）を構成する管理記号（３０）の印字は、例えば連動している機密情報データ（１２）の印字と同時に行ってもよく、あるいはその機密情報データ（１２）を印刷した後に、その内容を読み取ってそれに連動するように印字してもよい。
【００２３】
上記管理記号（３０）の印字方法は、機密情報データ（１２）の内容に連動するようなコンピュータからの乱数的記号を即座に印字が可能なインキジェット方式が最も好ましく、印字リングあるいはナンバーリングによる凸版方式、電子写真方式（トナーの転写方式）あるいは感熱リボン転写方式などとすることもできる。
【００２４】
また、上記管理記号（３０）は、上記印字方法に従ったインキで形成されるもので、一般に使用される黒色インキあるいは有色（赤等）インキでもよいが、本発明では、蛍光インキを用いて管理記号（３０）の存在を判らないようにするものである。
【００２５】
上記本発明の管理記号（３０）を形成する蛍光インキとしては、蛍光顔料を色科として用いたインキであり、インキジェット用、凸版用あるいは電子写真用のトナー用、感熱転写リボン用として、それらの印字方式に従った溶剤やバインダーに蛍光顔料を混練したインキが使用できる。この蛍光顔料としては、蛍光染料と合成樹脂固溶体でなるものや無機系の顔料でなるものがあり、一般的には前者の蛍光染料と合成樹脂固溶体でなる顔料を用い、その蛍光染料には、例えば昼光下では黄色を、ブラックライト光下では緑から黄緑色を呈するブリリアントスルホフラビンＦＦ、チオフラビン、フルオレセインなどや、昼光下では赤色を、ブラックライト光下では黄色から橙を呈するエオシン、ローダミン６Ｇなど、あるいは昼光下ではピンク色を、ブラックライト光下では橙から赤色を呈するローダミンＢなどが挙げられる。これら蛍光染料の坦体となる合成樹脂としては、ポリメタクリル三エステル、尿素、ホルマリン樹脂、メラミン・ホルマリン樹脂、塩化ビニル、塩ビ−酢ビ共重合体、アルキッド樹脂およびそれら変性したものが挙げられる。
【００２６】
また、管理記号（３０）として耐熱性や耐候性が要求される場合は、無機系の蛍光顔料が用いられ、例えば、２００〜３００ｎｍの波長域の光にのみ発光するＺｎ2 ＳｉＯ4 ／Ｍｎ、ＣａＷＯ4 等、または３００〜４５０ｎｍの波長域の光にのみ発光するＺｎＳ／Ｍｎ等またはこれらの混合物が挙げられ好適に使用される。
【００２７】
以下に本発明のスクラッチ印刷物（１）に係わる材料等について説明する。
まず本発明のスクラッチ印刷物（１）を構成する基材（１０）としては、例えばインスタント抽選券やゲームカードなどでは、アート紙、コート紙あるいは上質紙などの洋紙やコートボール、コートマニラ、両面カードなどの板紙、あるいは特殊証券用紙などが挙げられ、また例えば有価証券としてのスクラッチカードなどでは、白色ＰＥＴ（ポリエチレンテレフタレート）、白色ＰＶＣ（ポリ塩化ビニル）シートなどが挙げられ、適宜用途等に応じて選定される。
【００２８】
また、本発明のスクラッチ印刷物（１）を構成する易剥離層（１４）としては、例えばポリウレタンアクリル樹脂、ポリアミド樹脂、ニトロセルロース樹脂に添加剤としてシリコンやワックス（ポリエチレンワックス等）を５重量％以下添加したインキをスクリーン印刷法、グラビア印刷法あるいはアニロックスローラを介して印刷するフレキソ印刷法等で印刷されて得られる。さらに例えば、紫外線硬化型オフセットインキのビヒクル（印刷インキの着色顔料を除いた成分）にシリコンやワックスなどを僅かに添加したＵＶ剥離ニスを用いて、オフセット印刷法にて得ることもできる。
【００２９】
また、本発明のスクラッチ印刷物（１）を構成するスクラッチ隠蔽層（２０）としては、下記のスクラッチインキを用いて例えばスクリーン印刷法やグラビア印刷法あるいはアニロックスロールを介して印刷するフレキソ印刷法で上記易剥離層（１４）上に厚さ５〜１０μｍ程度に形成される。
【００３０】
上記のスクラッチインキの組成は、例えば隠蔽性を付与するためのアルミニウム粉１５〜２５重量部、アルミナ白等体質顔料を含めた着色顔料１５〜２５重量部、凝集破壊（団塊）性のあるＳＢＲ、ＮＢＲ等合成ゴム系樹脂１５〜２５重量部、さらにこれらにトルエンやキシレン、メチルイソブチルケトン等芳香族炭化水素系溶剤３５〜４５重量部と消泡剤等助剤５〜１５重量部を加えてスクリーン印刷用インキやグラビア印刷用インキあるいはフレキソ印刷用インキとするものである。
【００３１】
また、上記のような合成樹脂や芳香族炭化水素系の溶剤でなるスクラッチ隠蔽層（２０）用のインキに代わり、消防法や労働安全衛生法（有機溶剤中毒予防規則）あるいはＶＯＣ規制等環境上の規制等に優位な水性エマルジョンインキを用いて、グラビア印刷法、スクリーン印刷法あるいはフレキソ印刷法などで形成することもできる。
【００３２】
【発明の効果】
本発明は以上の構成であるから、下記に示す如き効果がある。即ち、基材上に施された機密情報データがスクラッチ隠蔽層で覆われるようにして隠蔽されているスクラッチ印刷物において、基材上でスクラッチ隠蔽層以外の位置に印字されている管理記号がスクラッチ隠蔽層で隠蔽されている機密情報データの内容と連動しているので、スクラッチ隠蔽層をスクラッチオフせずとも発行管理者にはそのデータの内容の認識を可能にし、その管理記号が特定のルールのない乱数的記号でなるので、管理者（管理者が所持するコンピュータ）以外の人には、機密情報データの内容が判らないスクラッチ印刷物とすることができる。
【００３３】
また、機密情報データと連動している管理記号を蛍光染料とポリメタクリル酸エステル、尿素、ホルマリン樹脂、メラミン・ホルマリン樹脂、塩化ビニル、塩ビ−酢ビ共重合体、アルキッド樹脂およびそれら変性したもののいずれかの合成樹脂固溶体を蛍光顔料とした蛍光インキ、またはＺｎ2 ＳｉＯ4 ／Ｍｎ、ＣａＷＯ4 、ＺｎＳ／Ｍｎのいずれかを蛍光顔料とした蛍光インキで有色の迷彩パターン上に形成しているので、一般の人には管理記号の存在すら判らず、よって機密情報データの内容の認識がより不可能になるスクラッチ印刷物とすることができる。
【００３４】
また、この機密情報データの内容と連動している管理記号によって、管理者はその機密情報データの内容を認識することができるので、例えば販売場所等によって当たり券の数に偏りのない配分を可能にして管理するスクラッチ印刷物の管理方法とすることができる。
【００３５】
従って本発明は、機密情報データをスクラッチ隠蔽層で隠蔽されているゲーム用カードやインスタント抽選券の如きスクラッチ印刷物とその管理方法として、優れた実用上の効果を発揮する。
【図面の簡単な説明】
【図１】本発明のスクラッチ印刷物の一実施の形態を説明するもので、その正面図である。
【図２】本発明のスクラッチ印刷物の他の一実施の形態を説明するもので、その正面図である。
【図３】本発明に係わる一般的なスクラッチ印刷物の一事例を説明するもので、
（ａ）は、その模式的積層断面図であり、
（ｂ）は、その右半分がスクラッチオフされた正面図であり、
（ｃ）は、（ｂ）のＢ−Ｂ面断面図である。
【符号の説明】
１‥‥スクラッチ印刷物
１０‥‥基材
１２‥‥機密情報データ
１４‥‥易剥離層
２０‥‥スクラッチ隠蔽層
３０‥‥管理記号
３２‥‥迷彩パターン
【図１】
0003979028.tif 000002
【図２】
0003979028.tif 000003
【図３】
0003979028.tif 000004